(57)【要約】【課題】各メモリの更新作業がし易く、コストが安い制御装置を提供する。【解決手段】書換え可能な第１メモリ３を有する第１マイコン２と、書換え可能な第２メモリ５を有する第２マイコン４と、前記第１マイコン２および前記第２マイコン４に接続可能とされ、データを通信する外部機器９に接続可能な単一の接続部６と、第１位置又は第２位置に設定可能な設定部１１とを備え、前記第１位置に設定されると、前記通信により前記第１メモリ３のデータを更新し、前記第２位置に設定されると、前記通信により前記第２メモリ５のデータを更新する。【選択図】図１
2005189904.tif 000002
【特許請求の範囲】
【請求項１】
書換え可能な第１メモリを有する第１マイコンと、書換え可能な第２メモリを有する第２マイコンと、前記第１マイコンおよび前記第２マイコンに接続可能とされ、データを通信する外部機器に接続可能な単一の接続部と、第１位置又は第２位置に設定可能な設定部とを備え、前記第１位置に設定されると、前記通信により前記第１メモリのデータを更新し前記第２位置に設定されると、前記通信により前記第２メモリのデータを更新する事を特徴とする制御装置。
【請求項２】
前記第１マイコンと前記第２マイコンとを接続可能とし、前記設定部が第３位置に設定されると、又は、前記設定部が取外されると、前記第１メモリおよび前記第２メモリのデータ更新を禁止し、前記第１マイコンと前記第２マイコンとの通信を可能とした事を特徴とする請求項１の制御装置。
【請求項３】
第１スイッチおよび第２スイッチを介して、前記第１マイコンと前記接続部とを接続する第１ラインと、第３スイッチおよび前記第２スイッチを介して、前記第２マイコンと前記接続部とを接続する第２ラインと、前記第１スイッチおよび前記第２スイッチを介して、前記第１マイコンと前記第２マイコンとを接続する第３ラインとを設けた事を特徴とする請求項２の制御装置。
【請求項４】
前記第１位置に設定されると、前記第１スイッチを１側に設定し、前記第２スイッチを１側に設定し、前記第１ラインのみを導通させる事を特徴とする請求項３の制御装置。
【請求項５】
前記第２位置に設定されると、前記第３スイッチを１側に設定し、前記第２スイッチを他側に設定し、前記第２ラインのみを導通させる事を特徴とする請求項３の制御装置。
【請求項６】
前記第３位置に設定されると、又は、前記設定部が取り外されると、前記第１スイッチを他側に設定し、前記第３スイッチを他側に設定し、前記第３ラインのみを導通させる事を特徴とする請求項３の制御装置。
【発明の詳細な説明】
【技術分野】
【０００１】
本発明は制御装置に関する。
【背景技術】
【０００２】
従来、この種の装置は、例えば特許文献１に示されている。この特許文献１の図１において、ＴＶ用マイコン１１はメモリ１７に接続され、ＶＣＲ用マイコン２１はメモリ２７に接続されている。
【特許文献１】特開平５−１２０８５７号公報
【発明の開示】
【発明が解決しようとする課題】
【０００３】
しかし上記装置では、例えば、メモリ１７，２７に不具合が生じたため、メモリ１７，２７を書き換える（更新する）必要ができる。その場合、完成品からメモリ１７，２７を取外し、書き換え、取り付ける方法は、手間がかかる、第１の欠点がある。そのため、本発明者はメモリ１７，２７に対し、２個の接続部を設け、各接続部に外部機器（パソコンなど）を接続した。そして、外部機器内に記憶されたデータにより、メモリ１７，２７を更新した。しかし、各接続部と外部機器を接続しなおす、手間がかかり、かつ２個の接続部を設けるので、コストが高くなる、第２の欠点がある。
【０００４】
そこで、本発明はこの様な従来の欠点を考慮し、各メモリの更新作業がし易く、コストが安い制御装置を提供する。
【課題を解決するための手段】
【０００５】
上記課題を解決するために、請求項１の本発明では、書換え可能な第１メモリを有する第１マイコンと、書換え可能な第２メモリを有する第２マイコンと、前記第１マイコンおよび前記第２マイコンに接続可能とされ、データを通信する外部機器に接続可能な単一の接続部と、第１位置又は第２位置に設定可能な設定部とを備え、前記第１位置に設定されると、前記通信により前記第１メモリのデータを更新し前記第２位置に設定されると、前記通信により前記第２メモリのデータを更新する。
【０００６】
請求項２の本発明では、前記第１マイコンと前記第２マイコンとを接続可能とし、前記設定部が第３位置に設定されると、又は、前記設定部が取外されると、前記第１メモリおよび前記第２メモリのデータ更新を禁止し、前記第１マイコンと前記第２マイコンとの通信を可能とした。
【０００７】
請求項３の本発明では、第１スイッチおよび第２スイッチを介して、前記第１マイコンと前記接続部とを接続する第１ラインと、第３スイッチおよび前記第２スイッチを介して前記第２マイコンと前記接続部とを接続する第２ラインと、前記第１スイッチおよび前記第２スイッチを介して、前記第１マイコンと前記第２マイコンとを接続する第３ラインとを設けた。
【０００８】
請求項４の本発明では、前記第１位置に設定されると、前記第１スイッチを１側に設定し、前記第２スイッチを１側に設定し、前記第１ラインのみを導通させる。
【０００９】
請求項５の本発明では、前記第２位置に設定されると、前記第３スイッチを１側に設定し、前記第２スイッチを他側に設定し、前記第２ラインのみを導通させる。
【００１０】
請求項６の本発明では、前記第３位置に設定されると、又は、前記設定部が取り外されると、前記第１スイッチを他側に設定し、前記第３スイッチ」を他側に設定し、前記第３ラインのみを導通させる。
【発明の効果】
【００１１】
請求項１の本発明では、書換え可能な第１メモリを有する第１マイコンと、書換え可能な第２メモリを有する第２マイコンと、第１マイコンおよび第２マイコンに接続可能とされ、データを通信する外部機器に接続可能な単一の接続部と、第１位置又は第２位置に設定可能な設定部とを備え、第１位置に設定されると、通信により第１メモリのデータを更新し、第２位置に設定されると、通信により前記第２メモリのデータを更新する。この様に、固定した（製品に取り付けた）接続部を介して、第１メモリおよび第２メモリのデータ更新をするので、メモリを取外し、取り付ける手間が要らない。また、単一の接続部を介して、データ更新するので、従来と異なり、複数の接続部が不要となり、コストが安くなる。
【００１２】
請求項２の本発明では、第１マイコンと第２マイコンとを接続可能とし、設定部が第３位置に設定されると、又は、設定部が取外されると、第１メモリおよび第２メモリのデータ更新を禁止し、第１マイコンと第２マイコンとの通信を可能とした。この様に、設定部の位置変更し、又は、設定部を取外すだけで、第１マイコンと第２マイコンとの通信が可能となるので，操作性が向上する。
【００１３】
請求項３の本発明では、第１スイッチおよび第２スイッチを介して、第１マイコンと接続部とを接続する第１ラインと、第３スイッチおよび第２スイッチを介して、第２マイコンと接続部とを接続する第２ラインと、第１スイッチおよび第２スイッチを介して、第１マイコンと第２マイコンとを接続する第３ラインとを設けた。上記構成により、第１ラインのみを導通させ、又は、第２ラインのみを導通させ、又は、第３ラインのみを導通させる事を、スイッチ構成にて行うので、動作が確実で、かつコストが安い。
【００１４】
請求項４の本発明では、第１位置に設定されると、第１スイッチを１側に設定し、第２スイッチを１側に設定し、第１ラインのみを導通させる。この様に、第１ラインのみを導通させるので、第１マイコンと外部機器のみの通信を可能とするので、他の部品が上記通信を妨害する事を防止できる。
【００１５】
請求項５の本発明では、第２位置に設定されると、第３スイッチを１側に設定し、第２スイッチを他側に設定し、第２ラインのみを導通させる。この様に、第２ラインのみを導通させるので、第２マイコンと外部機器のみの通信を可能とするので、他の部品が上記通信を妨害する事を防止できる。
【００１６】
請求項６の本発明では、第３位置に設定されると、又は、設定部が取り外されると、第１スイッチを他側に設定し、第３スイッチを他側に設定し、第３ラインのみを導通させる。この様に、第３位置に設定されると、又は、設定部が取り外されると、第３ラインのみを導通させるので、第１マイコンと第２マイコンのみの通信を可能とするので、他の部品が上記通信を妨害する事を防止できる。
【発明を実施するための最良の形態】
【００１７】
以下に、図１のブロック図に従い、本発明を実施する最良の形態に係る制御装置１を説明する。図１において、第１マイコン（マイクロコンピュータ）２は例えば、ＣＰＵ（中央演算装置）と、第１メモリ３と、ＲＡＭ（ランダムアクセスメモリ）と、シリアル通信インターフェイス等を有している。
【００１８】
第１メモリ３は例えば、電気的にデータの書換え可能なＥＥＰＲＯＭや、フラッシュＥＥＰＲＯＭなどの不揮発性メモリである。この様に、第１マイコン２は、書換え可能な第１モリ３を有している。
【００１９】
同様に、第２マイコン（マイクロコンピュータ）４は例えば、ＣＰＵ（中央演算装置）と、第２メモリ５と、ＲＡＭ（ランダムアクセスメモリ）と、シリアル通信インターフェイス等を有している。第２メモリ５は例えば、電気的にデータの書換え可能なＥＥＰＲＯＭや、フラッシュＥＥＰＲＯＭなどの不揮発性メモリである。この様に、第２マイコン４は、書換え可能な第２メモリ５を有している。
【００２０】
例えば、パソコン用のモニタ付テレビにおいて、テレビ用の第１映像信号および第２映像信号を選択する選択手段と、選択された第１または第２映像信号を画像信号に変換する処理手段が設けられている。そして、画像信号に従い、画像を表示する液晶表示部と、パソコンからの出力電圧の有無を検出する第１マイコン２と、電源部と、第２マイコン４が設けられている。
【００２１】
そして、第１マイコン２が上記出力電圧が無いことを検出すると（スタンバイモード）選択手段と処理手段と液晶表示部と第２マイコン４とに対し、電源供給を停止させ、省電力を行っている。この時、第１マイコン２と電源部のみに、電源が供給されている。
【００２２】
更に、第１マイコン２が上記出力電圧がある事を検出すると（モニタモード）、第１マイコン２は第２マイコン４に対し、その旨を出力する。その結果として、第２マイコン４は電源供給され、上記各部品に対し、制御動作を開始し、パソコン用のモニタ画面を表示させる。この様に、第１マイコン（サブマイコン）２は、スタンバイモードのみに制御動作し、第２マイコン（メインマイコン）４は、モニタモードおよびテレビモードにおいて制御動作する。
【００２３】
接続部６は外部インターフェイスであり、例えばドライバ７とコネクタ８等からなる。ドライバ７は例えば、シリアル通信（ＥＩＡ−２３２Ｃ）に対応する様に、電圧変換を行うものであり、コネクタ８に接続されている。接続部６は従来と異なり、単一である。
【００２４】
外部機器９は例えばパソコンであり、それに内蔵されたＨＤＤには、第１メモリ３用の更新データおよび第２メモリ５用の更新データが記憶されている。ケーブル１０の一端は接続部６に接続され、他端は外部機器９のコネクタ（図示せず）に接続されている。この様に、接続部６は、（更新）データを通信する外部機器に接続可能に構成されている。
【００２５】
設定部１１は例えば、共通端子１２と、切換端子１３，１４と、ツマミ（図示せず）等からなる。共通端子１２は、コネクタ８を介して、ドライバ７内の電源部（例えば、直流５ボルトを供給）に接続されている。
【００２６】
使用者がツマミを第１位置に設定すると、切換端子１３と共通端子１２が導通する（図１参照）。使用者がツマミを第２位置に設定すると、切換端子１４と共通端子１２が導通する。使用者がツマミを第３位置に設定すると、切換端子１３および１４は共に、開放状態となる。この様に、設定部１１は、第１位置または第２位置または第３位置に、設定可能に設けられている。
【００２７】
第１スイッチ１５は例えば、スイッチ１６と１７からなる。スイッチ１６は例えば半導体スイッチであり、共通端子１６ａと、切換端子１６ｂ，１６ｃと、制御端子（図示せず）などからなる。スイッチ１７は例えば半導体スイッチであり、共通端子１７ａと、切換端子１７ｂ，１７ｃと、制御端子（図示せず）等からなる。
【００２８】
第２スイッチ１８は例えば、スイッチ１９と２０からなる。スイッチ１９は例えば半導体スイッチであり、共通端子１９ａと、切換端子１９ｂ，１９ｃと、制御端子（図示せず）などからなる。スイッチ２０は例えば半導体スイッチであり、共通端子２０ａと、切換端子２０ｂ，２０ｃと、制御端子（図示せず）等からなる。
【００２９】
第３スイッチ２１は例えば、スイッチ２２と２３からなる。スイッチ２２は、例えば半導体スイッチであり、共通端子２２ａと、切換端子２２ｂ，２２ｃと、制御端子（図示せず）などからなる。スイッチ２３は例えば半導体スイッチであり、共通端子２３ａと、切換端子２３ｂ，２３ｃと、制御端子（図示せず）等からなる。
【００３０】
ライン２４ａは例えば、回路基板（図示せず）に形成された導電パターンであり、第１マイコン２のシリアル通信インターフェイスの１側に設けられた端子（図示せず）と、共通端子１６ａとを接続している。
【００３１】
ライン２５ａは例えば、回路基板（図示せず）に形成された導電パターンであり、切換端子１６ｃと、切換端子１９ｂとを接続している。ライン２６ａは例えば、回路基板に形成された導電パターンであり、ドライバ７の１側に形成された端子（図示せず）と、共通端子１９ａとを接続している。
【００３２】
ライン２４ｂは例えば、回路基板（図示せず）に形成された導電パターンであり、第１マイコン２のシリアル通信インターフェイスの他側に設けられた端子（図示せず）と、共通端子１７ａとを接続している。
【００３３】
ライン２５ｂは例えば、回路基板（図示せず）に形成された導電パターンであり、切換端子１７ｃと、切換端子２０ｂとを接続している。ライン２６ｂは例えば、回路基板に形成された導電パターンであり、ドライバ７の他側に形成された端子（図示せず）と、共通端子２０ａとを接続している。
【００３４】
これらのライン２４ａと２５ａと２６ａと、２４ｂと２５ｂと２６ｂとにより、第１ライン２７が構成されている。即ち、第１ライン２７は、第１スイッチ１５および第２スイッチ１８を介して、第１マイコン２と接続部６とを接続するものである。
【００３５】
ライン２８ａは例えば、回路基板（図示せず）に形成された導電パターンであり、第２マイコン４のシリアル通信インターフェイスの１側に設けられた端子（図示せず）と、共通端子２２ａとを接続している。
【００３６】
ライン２９ａは例えば、回路基板（図示せず）に形成された導電パターンであり、切換端子２２ｃと、切換端子１９ｃとを接続している。ライン２８ｂは例えば、回路基板（図示せず）に形成された導電パターンであり、第２マイコン４のシリアル通信インターフェイスの他側に設けられた端子（図示せず）と、共通端子２３ａとを接続している。
【００３７】
ライン２９ｂは例えば、回路基板（図示せず）に形成された導電パターンであり、切換端子２３ｃと、切換端子２０ｃとを接続している。これらのライン２８ａと２９ａと２６ａと、２８ｂと２９ｂと２６ｂとにより、第２ライン２８が構成されている。即ち、第２ライン２８は、第３スイッチ２１および第２スイッチ１８を介して、第２マイコン４と接続部６とを接続するものである。
【００３８】
ライン３０ａは例えば、回路基板（図示せず）に形成された導電パターンであり、切換端子１６ｂと、切換端子２３ｂとを接続している。ライン３０ｂは例えば、回路基板に形成された導電パターンであり、切換端子１７ｂと、切換端子２２ｂとを接続している。
【００３９】
これらのライン２４ａと３０ａと２８ｂと、２４ｂと３０ｂと２８ａとにより、第３ライン３１が構成されている。即ち、第３ライン３１は、第１スイッチ１５および第３スイッチ２１を介して、第１マイコン２と第２マイコン４とを接続するものである。
【００４０】
ライン３２は、第３スイッチ２１を構成するスイッチ２２の制御端子およびスイッチ２３の制御端子と、設定部１１の切換端子１４を接続している。
【００４１】
ライン３３は、第２スイッチ１８を構成するスイッチ１９の制御端子およびスイッチ２０の制御端子と、設定部１１の切換端子１３を接続している。
【００４２】
ライン３４は、第１スイッチ１５を構成するスイッチ１６の制御端子およびスイッチ１７の制御端子と、設定部１１の切換端子１３を接続している。以上の部品により、この制御装置１は構成されている。
【００４３】
なお、上記説明では、制御装置１内に、設定部１１を常時、設置する様に記述したが、本発明はこれに限定されない。例えば、本発明では、ライン３２，３３の端をコネクタ８内に設け、設定部１１をコネクタ８に対し、着脱自在に構成しても良い。
【００４４】
上記構成により、第１マイコン２または第２マイコン４のデータ更新時に、設定部１１をコネクタ８に取り付ければ良い。その時、ライン３２の端が設定部１１の切換端子１４に電気的接続し、ライン３３の端が設定部１１の切換端子１４に電気的接続する。
【００４５】
また、この制御装置１を用いた製品（例えば、上述したパソコン用のモニタ付きテレビ）において、製品のケーシングに露出してコネクタ８を設けても良い。上記構成により、使用者は製品を分解する事なしに、製品の外から、コネクタ８に対し、設定部１１を取り付け、設定部１１に設けられたツマミを操作することができる。また、上記データ更新後に設定部１１を取外しても良い。
【００４６】
次に再び図１に従い、この制御装置１における、第１マイコン２のプログラム更新動作を説明する。最初に、使用者は、接続部６と外部機器９との間に、ケーブル１０を接続させる。使用者は外部機器９のＨＤＤにおいて、第１メモリ３用の更新データと、第２メモリ５用の更新データとを記憶させる。
【００４７】
次に使用者は、設定部１１において、ツマミを第１位置に設定する。そして使用者は、外部機器９に接続されたマウス（図示せず）を操作し、外部機器９の表示部に表示された「サブマイコンのデータ更新」という項目を選択し、クリックする。
【００４８】
その結果、ライン３３，３４がアクティブ化（所定の電圧が供給されること）され、スイッチ１６において、共通端子１６ａと切換端子１６ｃが導通される。また、スイッチ１７において、共通端子１７ａと切換端子１７ｃが導通される。更に、スイッチ１９において、共通端子１９ａと切換端子１９ｂが導通され、スイッチ２０において、共通端子２０ａと切換端子２０ｂが導通される。
【００４９】
その結果、ライン２４ａと２５ａと２６ａは導通され、ライン２４ｂと２５ｂと２６ｂは導通される。この様にして、第１ライン２７のみが導通される。
【００５０】
なお、この時、ライン２８ａと２９ａは非導通であり、ライン２８ｂと２９ｂは非導通であるので、第２ライン２８は非導通である。また、ライン２４ａと３０ａは非導通でありライン２４ｂと３０ｂは非導通であるので、第３ライン３１は非導通である。
【００５１】
この様に、設定部１１が第１位置に設定されると、第１スイッチ１５は１側（Ｈの側）に設定され、第２スイッチ１８は１側（Ｈの側）に設定され、第１ライン２７のみが導通される。この様にして、接続部６は第１マイコン２に接続可能とされている。
【００５２】
次に、第１マイコン２は第１メモリ３に記憶された現在のデータ（プログラム）を削除し、外部機器９に対し、「削除完了のメッセージ」を通信（送信）する。
【００５３】
外部機器９は上記メッセージを受け取ると、ケーブル１０と、接続部６と、第２スイッチ１８と、第１ライン２７と、第１スイッチ１５を経由して、第１マイコン２に対し、第１メモリ３用の更新データを通信する。
【００５４】
第１マイコン２は、前記通信により、第１メモリ３内に、更新データを送信し、第１メモリ３内に記憶させる。即ち、設定部１１が第１位置に設定されると、外部機器９からの通信により、第１メモリ３のデータを更新させる。
【００５５】
また、上記説明と異なり、上記「サブマイコンのデータ更新」のメッセージを選択、入力せずに、設定部１１のツマミが第１位置に設定されると、自動的に、第１ライン２７を導通させ、第１メモリ３のデータを更新させても良い。
【００５６】
次に図２に従い、この制御装置１における、第２マイコン４のプログラム更新動作を説明する。最初に使用者は、設定部１１において、ツマミを第２位置に設定する。そして使用者は、外部機器９に接続されたマウス（図示せず）を操作し、外部機器９の表示部に表示された「メインマイコンのデータ更新」という項目を選択し、クリックする。
【００５７】
その結果、ライン３２がアクティブ化（所定の電圧が供給されること）され、スイッチ２２において、共通端子２２ａと切換端子２２ｃが導通される。また、スイッチ２３において、共通端子２３ａと切換端子２３ｃが導通される。更に、スイッチ１９において、共通端子１９ａと切換端子１９ｃが導通され、スイッチ２０において、共通端子２０ａと切換端子２０ｃが導通される。
【００５８】
その結果、ライン２８ａと２９ａと２６ａは導通され、ライン２８ｂと２９ｂと２６ｂは導通される。この様にして、第２ライン２８のみが導通される。
【００５９】
なお、この時、ライン２４ａと２５ａは非導通であり、ライン２４ｂと２５ｂは非導通であるので、第１ライン２７は非導通である。また、ライン２８ａと３０ａは非導通であり、ライン２８ａと３０ｂは非導通であるので、第３ライン３１は非導通である。
【００６０】
この様に、設定部１１が第２位置に設定されると、第３スイッチ２１は１側（Ｈの側）に設定され、第２スイッチ１８は他側（Ｌの側）に設定され、第２ライン２８のみが導通される。この様にして、接続部６は第２マイコン４に接続可能とされている。
【００６１】
次に、第２マイコン４は第２メモリ５に記憶された現在のデータ（プログラム）を削除し、外部機器９に対し、「削除完了のメッセージ」を通信（送信）する。
【００６２】
外部機器９は上記メッセージを受け取ると、ケーブル１０と、接続部６と、第２スイッチ１８と、第２ライン２８と、第３スイッチ２１を経由して、第２マイコン４に対し、第２メモリ５用の更新データを通信する。
【００６３】
第２マイコン４は、前記通信により、第２メモリ５内に、更新データを送信し、第２メモリ５内に記憶させる。即ち、設定部１１が第２位置に設定されると、外部機器９からの通信により、第２メモリ５のデータを更新させる。
【００６４】
また、上記説明と異なり、上記「メインマイコンのデータ更新」のメッセージを選択、入力せずに、設定部１１のツマミが第２位置に設定されると、自動的に、第２ライン２８を導通させ、第２メモリ５のデータを更新させても良い。
【００６５】
次に図３に従い、この制御装置１における、通常時の動作を説明する。最初に、使用者は、接続部６と外部機器９との間にある、ケーブル１０を外す。また、必要に応じて、使用者は、設定部１１を外しても良い。
【００６６】
次に使用者は、設定部１１において、ツマミを第３位置に設定する。その結果、ライン３２，３３，３４がノンアクティブ化（所定の電圧が供給されないこと）され、スイッチ１６において、共通端子１６ａと切換端子１６ｂが導通される。また、スイッチ１７において、共通端子１７ａと切換端子１７ｂが導通される。更に、スイッチ２２において、共通端子２２ａと切換端子２２ｂが導通され、スイッチ２３において、共通端子２３ａと切換端子２３ｂが導通される。
【００６７】
その結果、ライン２４ａと３０ａと２８ｂは導通され、ライン２４ｂと３０ｂと２８ａは導通される。この様にして、第３ライン３１にみが導通される。
【００６８】
なお、この時、ライン２８ａと２９ａは非導通であり、ライン２８ｂと２９ｂは非導通であるので、第２ライン２８は非導通である。また、ライン２４ａと２５ａは非導通でありライン２４ｂと２５ｂは非導通であるので、第１ライン２７は非導通である。
【００６９】
この様に、設定部１１が第３位置に設定されると、第１スイッチ１５は他側（Ｌの側）に設定され、第３スイッチ２１は他側（Ｌの側）に設定され、第３ライン３１のみが導通される。
【００７０】
上記構成の特徴をまとめる。第１マイコン２と第２マイコン５とは、接続可能に設けられている。設定部１１において、第３位置が設定されると、第１メモリ３へのデータ更新が禁止される。何故ならば、この時、第１ライン２７が非導通だからである。
【００７１】
また、第３位置が設定されると、第２メモリ５へのデータ更新が禁止される。何故ならば、この時、第２ライン２８が非導通だからである。この様に、第３位置が設定されると第１マイコン２と第２マイコン４との通信が可能となる。
【００７２】
上述した様に、例えば、この制御装置１を用いた「パソコン用のモニタ付きテレビ」において、第１マイコン２は、パソコンからの出力電圧が有るか否かを検出する。そして、第１マイコン２は上記出力電圧が無い事を検出すると（スタンバイモード）、各部品（第２マイコン４も含め）への電源供給を停止させ、省電力を行っている。
【００７３】
また、第１マイコン２が上記出力電圧が有る事を検出すると（モニタモード）、第１マイコン２は第２マイコン４に対し、その旨を出力する。その結果、第２マイコン４は、各部品を制御し、パソコン用のモニタ画面を表示させる。この様に、第１マイコン２と第２マイコン４は互いに通信し、各々の制御動作を分担する。
【図面の簡単な説明】
【００７４】
【図１】本発明を実施するための最良の形態に係る制御装置１のブロック図であり、第１マイコン２をデータ更新する状態を示す。
【図２】上記制御装置１のブロック図であり、第２マイコン４をデータ更新する状態を示す。
【図３】上記制御装置１のブロック図であり、通常動作の状態を示す。
【符号の説明】
【００７５】
２  第１マイコン
３  第１メモリ
４  第２マイコン
５  第２メモリ
６  接続部
９  外部機器
１１  設定部
【図１】
2005189904.tif 000003
【図２】
2005189904.tif 000004
【図３】
2005189904.tif 000005